(57)【特許請求の範囲】
【請求項１】
正逆回転可能なモータを備え、前記モータの動力で装飾体を原点位置から移動させることで演出を行う演出装置であって、
前記モータの動力によって軸回りに回転する第一ピニオンと、
前記装飾体に設けられ、前記第一ピニオンの回転軸に対して垂直な上下方向に延び、前記第一ピニオンに噛み合う歯部を有する第一ラックと、
前記第一ピニオンに噛み合う歯部を有し、前記第一ピニオンのうち前記第一ラックが噛み合う側の反対側に噛み合う上昇補助ラックと、
前記第一ピニオンの回転軸上において前記第一ピニオンから直線状に延び、前記第一ピニオンと共に回転する連結軸と、
前記連結軸の前記第一ピニオンから離間した位置に固定され、前記モータの動力によって前記第一ピニオンと共に回転する第二ピニオンと、
前記装飾体に設けられ、前記第一ラックと平行な方向に延び、前記第二ピニオンに噛み合う歯部を有する第二ラックと
を備えたことを特徴とする演出装置。
【請求項２】
前記装飾体の原点位置は、前記演出装置が装着される遊技機のうち、画像を表示する表示手段よりも上方に位置し、
前記モータは、前記表示手段よりも左方または右方に配置されることを特徴とする請求項１に記載の演出装置。
【請求項３】
前記装飾体が前記原点位置にある状態で前記装飾体の一部に接触する接触部と、
前記接触部および前記装飾体の一部の一方に設けられた第一磁石と、
前記接触部および前記装飾体の一部のうちの他方に設けられ、前記第一磁石に吸着する第二磁石または磁性体とをさらに備えたことを特徴とする請求項１または２に記載の演出装置。
【請求項４】
前記第一ラックおよび前記第二ラックの少なくとも一部から、前記第一ラックおよび前記第二ラックの伸張方向に交差する方向に突出する爪部をさらに備え、
前記爪部は、前記装飾体が移動範囲の終点位置へ移動した場合に、前記第一ラックおよび前記第二ラックの少なくとも一方の往復移動を案内する案内部に接触することで、前記第一ラックと前記第一ピニオンとの噛み合い、および前記第二ラックと前記第二ピニオンとの噛み合いが外れることを防止することを特徴とする請求項１から３のいずれかに記載の演出装置。
【請求項５】
前記装飾体が原点位置にあるか否かを検出する原点センサと、
前記装飾体が移動範囲の終点位置にあるか否かを検出する終点センサと、
前記装飾体に設けられ、前記装飾体が原点位置にある場合に前記原点センサの配設箇所に位置する第一被検出片と、
前記装飾体のうち、前記第一被検出片から離間した位置に設けられ、前記装飾体が終点位置にある場合に前記終点センサの配設箇所に位置する第二被検出片と
をさらに備えたことを特徴とする請求項１から４のいずれかに記載の演出装置。
【請求項６】
請求項１から５のいずれかに記載の演出装置と、
前記モータの回転を制御することで前記演出装置による演出の実行を制御する制御手段とを備えたことを特徴とする遊技機。
【発明の詳細な説明】
【技術分野】
【０００１】
本発明は、モータの動力によって装飾体を移動させる演出を行う演出装置、および当該演出装置を備えた遊技機に関する。
【０００２】
従来、遊技機に用いられる演出装置として、モータの動力によって装飾体を移動させることで各種演出を行う演出装置が知られている。例えば、特許文献１が開示している演出装置は、ラックアンドピニオン機構を用いて装飾体を上下方向に往復移動させる。装飾体が、移動可能範囲の上端である定常位置にある状態では、各種画像を表示する表示手段よりも上方に装飾体が位置する。演出装置がモータを駆動し、装飾体を定常位置から下方へ移動させると、表示手段の表示領域が装飾体によって遮蔽される。これにより、斬新な演出を実行できる。ラックアンドピニオン機構を用いることで、装飾体を省スペースで上下動させる演出装置を、安価に製造することができる。
【先行技術文献】
【特許文献】
【０００３】
【特許文献１】特開２０１０−１６２４０２号公報
【発明の概要】
【発明が解決しようとする課題】
【０００４】
ラックアンドピニオン機構を用いて装飾体を移動させる場合、移動させる装飾体の重さによって、ラックおよびピニオンに負荷がかかる。その結果、装飾体が意図しない角度に傾く不具合、演出の実行中に装飾体がラックを中心にして揺動する不具合、ラックアンドピニオン機構の変形および破損等が生じるという問題点があった。
【０００５】
本発明は、装飾体の重さによる負荷の影響を低減させて、ラックアンドピニオン機構を用いた演出動作をスムーズに実行することができる演出装置、および当該演出装置を備えた遊技機を提供することを目的とする。
【課題を解決するための手段】
【０００６】
本発明の第一の態様に係る演出装置は、正逆回転可能なモータを備え、前記モータの動力で装飾体を原点位置から移動させることで演出を行う演出装置であって、前記モータの動力によって軸回りに回転する第一ピニオンと、前記装飾体に設けられ、前記第一ピニオンの回転軸に対して垂直な上下方向に延び、前記第一ピニオンに噛み合う歯部を有する第一ラックと、前記第一ピニオンに噛み合う歯部を有し、前記第一ピニオンのうち前記第一ラックが噛み合う側の反対側に噛み合う上昇補助ラックと、前記第一ピニオンの回転軸上において前記第一ピニオンから直線状に延び、前記第一ピニオンと共に回転する連結軸と、前記連結軸の前記第一ピニオンから離間した位置に固定され、前記モータの動力によって前記第一ピニオンと共に回転する第二ピニオンと、前記装飾体に設けられ、前記第一ラックと平行な方向に延び、前記第二ピニオンに噛み合う歯部を有する第二ラックとを備えている。
【０００７】
第一の態様に係る演出装置では、２つのラックが平行に装飾体に設けられている。第一ラックに噛み合う第一ピニオンと、第二ラックに噛み合う第二ピニオンとは、連結軸によって連結されている。モータが駆動して第一ピニオンおよび第二ピニオンが回転すると、第一ラックおよび第二ラックが同一方向に同一距離移動する。これにより、当該演出装置は、装飾体の重さによる負荷を第一ラックおよび第二ラックに分散させることができる。その結果、装飾体の傾き、移動中の装飾体の揺動、ラックアンドピニオン機構の変形および破損等の不具合が生じる可能性を低下させることができる。よって、当該演出装置は、１つのモータのみを用いた簡易な構成で、スムーズな演出を実行することができる。また、装飾体を重力に反して上方に移動させる場合に、上昇補助ラックが第一ピニオンの回転を補助する。従って、演出装置は、モータに掛かる負荷を低下させてスムーズに装飾体を移動させることができる。
前記装飾体の原点位置は、前記演出装置が装着される遊技機のうち、画像を表示する表示手段よりも上方に位置してもよい。前記モータは、前記表示手段よりも左方または右方に配置されてもよい。この場合、モータを表示手段よりも左方または右方に配置することで、遊技機の中央部のスペースを有効に活用することができ、且つ１つのモータでスムーズに装飾体を移動させることができる。
【０００８】
前記演出装置は、前記装飾体が前記原点位置にある状態で前記装飾体の一部に接触する接触部と、前記接触部および前記装飾体の一部の一方に設けられた第一磁石と、前記接触部および前記装飾体の一部のうちの他方に設けられ、前記第一磁石に吸着する第二磁石または磁性体とをさらに備えてもよい。この場合、演出が行われていない場合の装飾体の待機位置である原点位置に装飾体が移動すると、装飾体の一部が磁力によって接触部に吸着され、装飾体が原点位置で保持される。従って、演出装置は、演出が行われていない場合に装飾体が原点位置から離間する可能性を低下させることができる。よって、例えば遊技者が遊技機に衝撃を加えた場合でも、演出装置は装飾体を原点位置で強固に保持することができる。
【０００９】
前記演出装置は、前記第一ラックおよび前記第二ラックの少なくとも一部から、前記第一ラックおよび前記第二ラックの伸張方向に交差する方向に突出する爪部をさらに備えてもよい。前記爪部は、前記装飾体が移動範囲の終点位置へ移動した場合に、前記第一ラックおよび前記第二ラックの少なくとも一方の往復移動を案内する案内部に接触することで、前記第一ラックと前記第一ピニオンとの噛み合い、および前記第二ラックと前記第二ピニオンとの噛み合いが外れることを防止してもよい。この場合、演出装置は、２組のラックおよびピニオンの噛み合いが外れることを、爪部によって確実に防止することができる。よって、演出装置は、噛み合いが外れて演出を実行できなくことがなく、安定して演出を行うことができる。第一ラックおよび第二ラックの長さを、噛み合いが外れることを防止する目的で余分に長く形成する必要がないため、装置を小型化することもできる。
【００１０】
【００１１】
【００１２】
【００１３】
前記演出装置は、前記装飾体が原点位置にあるか否かを検出する原点センサと、前記装飾体が移動範囲の終点位置にあるか否かを検出する終点センサと、前記装飾体に設けられ、前記装飾体が原点位置にある場合に前記原点センサの配設箇所に位置する第一被検出片と、前記装飾体のうち、前記第一被検出片から離間した位置に設けられ、前記装飾体が終点位置にある場合に前記終点センサの配設箇所に位置する第二被検出片とをさらに備えてもよい。この場合、原点センサと終点センサとが同一の被検出片を検出する場合とは異なり、原点センサおよび終点センサの配設位置の自由度を高めることができる。従って、配線等の他の部材の配設位置が制約されることがなく、スペースを有効に活用することができる。
【００１４】
本発明の第二の態様に係る遊技機は、前記演出装置と、前記モータの回転を制御することで前記演出装置による演出の実行を制御する制御手段とを備えている。従って、当該遊技機は、前記演出装置と同様の作用効果を奏することができる。
【図面の簡単な説明】
【００１５】
【図１】パチンコ機１の正面図である。
【図２】演出装置２０および飾り枠２２を前方右斜め上方から見た斜視図である。
【図３】装飾体３１が終点位置にある場合の演出装置２０の正面図である。
【図４】演出装置２０を前方右斜め上方から見た分解斜視図である。
【図５】装飾体３１が原点位置にある場合の装飾体可動部３０の要部を後方右斜め上方から見た斜視図である。
【図６】装飾体３１が終点位置にある場合の装飾体可動部３０の要部を後方右斜め上方から見た斜視図である。
【図７】装飾体３１が原点位置にある場合の、図３におけるＡ−Ａ線矢視方向断面図である。
【図８】装飾体３１が終点位置にある場合の、図３におけるＡ−Ａ線矢視方向断面図である。
【図９】装飾体３１が原点位置にある場合の、図３におけるＢ−Ｂ線矢視方向断面図である。
【図１０】装飾体３１が終点位置にある場合の、図３におけるＢ−Ｂ線矢視方向断面図である。
【図１１】変形例に係る演出装置１２０の要部の左側面図である。
【発明を実施するための形態】
【００１６】
本発明の一実施の形態である演出装置２０、および演出装置２０を備えたパチンコ機１について、図面を参照して説明する。
【００１７】
図１を参照して、パチンコ機１の機械的構成について説明する。パチンコ機１の上半分には遊技盤２が設けられている。遊技盤２は略正方形であり、透明なガラス板を保持したガラス枠３によって前面を保護されている。遊技盤２の下方部には、発射機に遊技球を供給し、且つ賞品球を受ける上皿５が設けられている。上皿５の直下には、賞品球を受ける下皿６が設けられている。下皿６の右横には、遊技球の発射を調整する発射ハンドル７が設けられている。ガラス枠３の上部の左右の角にはスピーカ８がそれぞれ設けられている。
【００１８】
遊技盤２の前面には、ガイドレール９で囲まれた略円形の遊技領域が形成されている。遊技領域の略中央には、ＬＣＤである表示装置１０が設けられている。表示装置１０の表示領域では、大当たり判定の結果を遊技者に報知するための報知演出、大当たり遊技中の演出等、様々な演出の映像が表示される。
【００１９】
表示装置１０の外縁を取り囲むように、各種演出を行う演出装置２０（図２等参照）が設けられている。演出装置２０は、表示装置１０およびスピーカ８等と連動して、報知演出等の様々な演出を実行する。表示装置１０の下方には特別図柄始動電動役物１２が配設されている。特別図柄始動電動役物１２に遊技球が入賞することを契機として、大当たり判定が行われる。特別図柄始動電動役物１２の下方には、大入賞口１３が設けられている。大入賞口１３には開閉部材が設けられており、この開閉部材がソレノイドによって開放されると、大入賞口１３への遊技球の入賞が可能となる。大入賞口１３の開閉部材は、大当たり判定によって当たりと判定されることで開放される。特別図柄始動電動役物１２および大入賞口１３に遊技球が入賞すると、所定数の遊技球が払い出される。さらに、遊技盤２には、上記以外に種々の入賞口、電飾ランプ、風車、および遊技釘等が設けられている。
【００２０】
図示しないが、パチンコ機１の背面側には、各種基板を備えた制御部が設けられている。制御部の各基板はＣＰＵ、ＲＡＭ、ＲＯＭ等を備えており、パチンコ機１の各種動作を制御する。例えば、主基板は、大当たり判定、大入賞口１３の開閉部材の開閉等を行い、パチンコ機１の主制御を司る。サブ制御基板は、主基板で行われた制御結果に基づいて、後述するステップモータ３２（図５および図６参照）の動作等を制御し、演出装置２０による演出を実行させる。
【００２１】
以下、演出装置２０について説明する。まず、図２から図４を参照して、演出装置２０の概要について説明する。図２および図４の紙面左斜め手前側を、演出装置２０の正面側とする。図２および図４の紙面右斜め奥側を、演出装置２０の背面側とする。図３の紙面手前側を演出装置２０の正面側とし、図３の紙面奥側を演出装置２０の背面側とする。
【００２２】
演出装置２０は、正面視矩形の支持枠２１によって支持されており、パチンコ機１の遊技盤２（図１参照）に装着される。図２に示すように、演出装置２０の正面には、環状に形成された飾り枠２２が装着される。飾り枠２２は、遊技盤２の左部から中央へ遊技球を誘導する誘導路、特別図柄始動電動役物１２（図１参照）へ遊技球を誘導する誘導路等を備えている。よって、飾り枠２２は、装飾によって遊技者を楽しませるだけでなく、遊技球に種々の動きを実現させて遊技者の興趣を惹き付けることができる。
【００２３】
図３に示すように、演出装置２０の中心には、正面視矩形の開口部２３が形成されている。演出装置２０は、表示装置１０（図１参照）の表示領域と開口部２３とが一致するように、表示装置１０の正面側に配置される。従って、遊技者は、開口部２３を通じて正面側から表示装置１０を視認することができる。演出装置２０は、主に表示装置１０の表示領域の周囲で各種演出を実行する。詳細には、演出装置２０は、図４に示すように、砲撃部２４、手榴弾回転部２６、および装飾体可動部３０を表示領域の周囲に備える。
【００２４】
砲撃部２４は、表示領域の左下の角に位置する。砲撃部２４は、バズーカの先端を模した振動体２５を備えており、内部に設けられたソレノイド（図示せず）によって振動体２５を振動させる。演出装置２０の動作を制御するパチンコ機１の制御部は、振動体２５を振動させると共に、表示装置１０の表示領域の左下から右上へ向けて砲弾を表示させる。その結果、パチンコ機１は、表示装置１０のみを用いて砲弾を表示する場合に比べて強い印象を遊技者に与えることができる。
【００２５】
手榴弾回転部２６は、表示領域の右側に位置する。手榴弾回転部２６は、手榴弾の形状を成す回転体２７を備えており、内部に設けられたモータ（図示せず）によって回転体２７を回転させる。回転体２７の背面には、正面の装飾とは異なる装飾が施されており、回転体２７を回転させることで種々の演出を実行することができる。
【００２６】
装飾体可動部３０は、その全体が中枠３８によって保持される。中枠３８が支持枠２１の左上に装着されることで、装飾体可動部３０は、表示領域の左側および上側を覆うように配置される（図２および図３参照）。装飾体可動部３０は、爆撃機の形状を模した装飾体３１を備えている。装飾体可動部３０は、後述するステップモータ３２（図５および図６参照）を駆動させることで、装飾体３１を上下に移動させる演出を行うことができる。詳細には、演出を実行していない場合の装飾体３１の待機位置である原点位置は、図１および図２に示すように、表示装置１０の表示領域よりも上方にある。よって、装飾体３１が原点位置にある場合、遊技者は、開口部２３を通じて表示装置１０の表示領域の全てを視認することができる。演出を実行する場合、演出装置２０はステップモータ３２を駆動させて、装飾体３１を原点位置から下方へ移動させる。これにより、装飾体３１を表示領域の正面に位置させて表示領域を一時的に遮蔽し、遊技者に強い印象を与えることができる。
【００２７】
図５および図６を参照して、装飾体可動部３０が装飾体３１を上下動させるための構造について説明する。図５および図６に示すように、装飾体可動部３０はステップモータ３２を備える。ステップモータ３２は、装飾体可動部３０の左端部に配置されている。従って、演出装置２０がパチンコ機１に装着された場合に、ステップモータ３２は表示装置１０（図１参照）よりも左側に位置し、飾り枠２２（図２参照）等によって遮蔽される。パチンコ機１の中央部には表示装置１０が配置されるため、中央部のスペースは限定されるが、ステップモータ３２を表示装置１０の左側に配置することで、パチンコ機１の中央部の部材を減らすことができる。さらに、演出装置２０は、後述する２組のラックアンドピニオン機構を用いることで、ステップモータ３２を端部に配置しつつ、パチンコ機１の中央部の装飾体３１を円滑に上下動させることができる。
【００２８】
ステップモータ３２の出力軸は、ステップモータ３２から右方へ延びており、出力軸にはギア３３が固定される。ギア３３には、第一ピニオン３５が噛み合わされる。第一ピニオン３５は、左右方向に延びる連結軸３６の左端部に固定されており、連結軸３６を中心として回転する。さらに、連結軸３６の右端部には第二ピニオン３７が固定されている。連結軸３６は、装飾体可動部３０を支持する中枠３８（図４参照）の一部によって回転可能に保持されている。ステップモータ３２が回転すると、ステップモータ３２の動力がギア３３を介して第一ピニオン３５に伝達され、第一ピニオン３５が回転する。第一ピニオン３５が回転すると、連結軸３６も回転するため、第二ピニオン３７も第一ピニオン３５と同一角度回転する。なお、第一ピニオン３５の径および歯部の形状と、第二ピニオン３７の径および歯部の形状とは同一である。
【００２９】
装飾体３１は、本体４１と、移動ガイド部４２と、接続部４３とを有する。本体４１は、前述した爆撃機の形状をなす部分であり、正面側から視認できる状態でパチンコ機１の中央部に位置する。移動ガイド部４２は、遊技者から視認されないように飾り枠２２（図２参照）の背面側に位置し、主に装飾体３１の上下動を案内する。詳細には、移動ガイド部４２は縦長の矩形に形成されており、上端部近傍および下端部近傍にガイド穴４４を備える。図５および図６では、上端部近傍のガイド穴４４のみ図示している。２つのガイド穴４４には、上下方向に延びるガイド軸４５が挿通される。ガイド軸４５は、中枠３８（図４参照）に固定されている。移動ガイド部４２がガイド軸４５に沿って移動することで、装飾体３１はスムーズに上下動することができる。接続部４３は、本体４１と移動ガイド部４２とを接続する。
【００３０】
また、移動ガイド部４２の背面には第一ラック４７が固定されている。第一ラック４７は、第一ピニオン３５の回転軸に対して垂直な方向である上下方向に延びる。第一ラック４７の背面側の歯部は、第一ピニオン３５に噛み合う。従って、第一ピニオン３５が回転すると、移動ガイド部４２は、ガイド軸４５に沿って上下方向に移動する。
【００３１】
また、装飾体可動部３０は、正面視略円形の遮蔽板４９を備える。遮蔽板４９は、装飾体３１の本体４１の背面側において、中枠３８（図４参照）に固定される。第二ピニオン３７等の機構は、遮蔽板４９によって遮蔽される。さらに、本体４１の背面には第二ラック５０が固定されている。第二ラック５０は、第一ラック４７と平行に上下方向に延びており、第二ラック５０の背面側の歯部は第二ピニオン３７に噛み合う。前述した遮蔽板４９の背面には、第二ラック５０の上下動をガイドするためのガイドレール５１が固定されている。従って、第二ピニオン３７が回転すると、本体４１は、ガイドレール５１に沿って上下方向に移動する。
【００３２】
従来のように、１組のラックアンドピニオン機構のみ（例えば、第一ピニオン３５および第一ラック４７のみ）を演出装置２０に採用したと仮定すると、装飾体３１は、移動ガイド部４２およびその近傍の構造のみによって支持されることになる。すると、装飾体３１の重量が、移動ガイド部４２、ガイド軸４５、第一ピニオン３５、および第一ラック４７等に集中する。その結果、装飾体３１の傾き、装飾体３１の揺動、ラックアンドピニオン機構の変形および破損等の不具合が生じる可能性がある。本実施の形態に係る演出装置２０は、２組のラックアンドピニオン機構を用いることで、ステップモータ３２を１つだけ用いる簡易な構成で、スムーズな演出を実行することができる。
【００３３】
図５および図６を参照して、装飾体３１を原点位置で保持するための構造について説明する。図６に示すように、装飾体可動部３０は接触部５３を備える。接触部５３は、移動ガイド部４２の鉛直上方において、中枠３８（図４参照）に固定される。接触部５３の底面には磁石５４が固定されている。また、装飾体３１の一部である移動ガイド部４２の上端部にも、磁石５５が固定されている。演出装置２０がステップモータ３２を駆動し、装飾体３１を原点位置（上下に延びる可動範囲の上端）に移動させると、図５に示すように、装飾体３１の移動ガイド部４２の上端が、中枠３８に固定された接触部５３に接触する。その結果、接触部５３の磁石５４と移動ガイド部４２の磁石５５とが吸着し、装飾体３１が原点位置で強固に保持される。
【００３４】
図６を参照して、装飾体３１の上昇を補助するための構造について説明する。装飾体可動部３０は、引張りバネ５６を備える。引張りバネ５６は、装飾体３１の一部である移動ガイド部４２の下部と、移動ガイド部４２よりも上方に位置する接触部５３との間に介在し、移動ガイド部４２を上方へ付勢する。従って、演出装置２０が装飾体３１を上昇させる場合に、装飾体３１の上昇は引張りバネ５６によって補助される。
【００３５】
図７および図８を参照して、第二ラック５０と第二ピニオン３７との離脱を防止するための構造について説明する。図７に示すように、第二ラック５０の上端部には、第二ラック５０の伸張方向（上下方向）と垂直な方向である前方（図７における左方）に突出する爪部６０が形成されている。また、遮蔽板４９に固定されたガイドレール５１の下端には、後方へ向けて突出する当接部６１が形成されている。図７に示すように、装飾体３１が原点位置にある状態では、爪部６０と当接部６１とは離間している。図８に示すように、移動範囲の終点位置に装飾体３１が移動すると、爪部６０が当接部６１に接触し、第二ラック５０の下方への移動が制限される。従って、第一ラック４７と第一ピニオン３５との噛み合い、および第二ラック５０と第二ピニオン３７との噛み合いが外れることを、確実に防止することができる。
【００３６】
図５、図６、図９、および図１０を参照して、装飾体３１の位置を検出するための構造について説明する。図９および図１０に示すように、装飾体可動部３０を支持する中枠３８の上部正面側には、光学センサである原点センサ６３が固定されている。中枠３８のうち、原点センサ６３の固定位置の鉛直下方には、光学センサである終点センサ６４が固定されている。また、図５に示すように、装飾体３１の移動ガイド部４２の左側上部には、板状の第一被検出片６６が形成されている。図６に示すように、移動ガイド部４２の左側下部には、第一被検出片６６と同様の形状の第二被検出片６７が形成されている。
【００３７】
図５に示すように、装飾体３１が原点位置にある場合には、第一被検出片６６は原点センサ６３の配設箇所に位置する。従って、原点センサ６３は、第一被検出片６６を検出しているか否かによって、装飾体３１が原点位置にあるか否かを検出することができる。また、図６に示すように、装飾体３１が終点位置にある場合には、第二被検出片６７は終点センサ６４の配設箇所に位置する。従って、終点センサ６４は、第二被検出片６７を検出しているか否かによって、装飾体３１が終点位置にあるか否かを検出することができる。
【００３８】
図９および図１０に示すように、第一被検出片６６と第二被検出片６７とは、上下方向に離間した位置に設けられている。従って、原点センサ６３と終点センサ６４とが同一の被検出片を検出する場合とは異なり、原点センサ６３および終点センサ６４の配設位置の自由度を高めることができる。本実施の形態では、第一被検出片６６よりも下方に第二被検出片６７を設けることで、原点センサ６３と終点センサ６４との間の距離を長くしている。その結果、原点センサ６３と終点センサ６４との間のスペースが大きくなる。このスペースには、装飾体３１の本体４１内のＬＥＤに電気的に接続するフレキシブル配線７０が配置されている。図９および図１０に示すように、装飾体３１が移動すると、フレキシブル配線７０の位置は変化する。しかし、原点センサ６３と終点センサ６４との間のスペースが広いため、フレキシブル配線７０が装飾体３１の上下動を阻害することはない。
【００３９】
以上説明したように、本実施の形態の演出装置２０では、第一ラック４７と第二ラック５０とが平行に装飾体３１に設けられている。第一ラック４７に噛み合う第一ピニオン３５と、第二ラック５０に噛み合う第二ピニオン３７とは、連結軸３６によって連結されている。ステップモータ３２が駆動して第一ピニオン３５および第二ピニオン３７が回転すると、第一ラック４７および第二ラック５０が同一方向に同一距離移動する。これにより、演出装置２０は、装飾体３１の重さによる負荷を第一ラック４７および第二ラック５０に分散させることができる。その結果、装飾体３１の傾き、移動中の装飾体３１の揺動、ラックアンドピニオン機構の変形および破損、ガイド穴４４の変形および破損等の不具合が生じる可能性を低下させることができる。よって、演出装置２０は、１つのステップモータ３２のみを用いた簡易な構成で、スムーズな演出を実行することができる。
【００４０】
装飾体３１が原点位置に移動すると、装飾体３１の移動ガイド部４２と中枠３８の接触部５３とが接触する。移動ガイド部４２の磁石５５と接触部５３の磁石５４とが吸着し、装飾体３１が原点位置で保持される。従って、演出装置２０は、演出が行われていない場合に装飾体３１が原点位置から離間する可能性を低下させることができる。よって、例えば遊技者が遊技機を叩いたり揺らしたりした場合でも、演出装置２０は装飾体３１を原点位置で強固に保持することができる。
【００４１】
装飾体３１が終点位置に移動すると、第二ラック５０の爪部６０が、ガイドレール５１の当接部６１に上方から接触する。従って、演出装置２０は、２組のラックアンドピニオン機構の噛み合いが外れることを、爪部６０によって確実に防止することができ、安定して演出を実行することができる。第一ラック４７および第二ラック５０の長さを、噛み合いが外れることを防止する目的で余分に長く形成する必要がないため、装置を小型化することもできる。
【００４２】
装飾体３１の移動方向は上下方向であり、ステップモータ３２は表示装置１０よりも左方に配置される。従って、表示装置１０を配置する必要があるパチンコ機１の中央部のスペースを無駄にすることなく、１つのステップモータ３２でスムーズに装飾体３１を上下動させることができる。さらに、演出装置２０は、装飾体３１を重力に反して上昇させる場合に、引張りバネ５６の牽引力によってステップモータ３２にかかる負荷を低下させることができる。
【００４３】
演出装置２０では、原点センサ６３によって検出される第一被検出片６６と、終点センサ６４によって検出される第二被検出片６７とが、装飾体３１のうち互いに離間した位置に設けられている。その結果、原点センサ６３と終点センサ６４とが同一の被検出片を検出する場合とは異なり、原点センサ６３および終点センサ６４の配設位置の自由度を高めることができる。従って、フレキシブル配線７０等の他の部材の配設位置が制約されることがなく、スペースを有効に活用することができる。
【００４４】
なお、本実施の形態におけるステップモータ３２が本発明の「モータ」に相当する。磁石５５が「第一磁石」に相当し、磁石５４が「第二磁石」に相当する。ガイドレール５１が本発明の「案内部」に相当する。表示装置１０が本発明の「表示手段」に相当する。引張りバネ５６を保持する接触部５３が「バネ固定部」に相当する。パチンコ機１が「遊技機」に相当する。
【００４５】
本発明は、以上詳述した実施の形態に限定されるものではなく、本発明の要旨を逸脱しない範囲内において種々の変更が可能であることは勿論である。まず、図１１を参照して、上記実施の形態の変形例について説明する。変形例に係る演出装置１２０は、引張りバネ５６（図６参照）の代わりに上昇補助ラック１２１を用いて装飾体３１の上昇を補助する点のみが、上記実施の形態の演出装置２０とは異なる。よって、同一の構成については同一の番号を付し、説明を省略する。
【００４６】
図１１に示すように、変形例に係る演出装置１２０は、上昇補助ラック１２１を備えている。上昇補助ラック１２１は上下方向に延びており、中枠３８（図４参照）によって上下方向に移動可能に支持されている。上昇補助ラック１２１は、正面（図１１の右側の面）に歯部を有する。第一ピニオン３５のうち、第一ラック４７に噛み合う側の反対側が、上昇補助ラック１２１の歯部に噛み合う。上昇補助ラック１２１は所定の重さ（例えば、装飾体３１と同じ重さ）を有するため、第一ピニオン３５には、第一ラック４７を上昇させる方向への力が加わる。従って、演出装置１２０は、ステップモータ３２（図５および図６参照）にかかる負荷を、上昇補助ラック１２１によって低下させることができる。また、引張りバネ５６を用いる場合とは異なり、第一ラック４７の上昇を補助する力は、装飾体３１の位置によって変化することがないため、装飾体３１を安定した状態で上下動させることができる。
【００４７】
上記実施の形態は、他の変更も可能である。例えば、上記実施の形態では、第一ラック４７および第二ラック５０は上下方向に延びており、装飾体３１は上下方向に移動する。しかし、装飾体３１の移動方向は上下方向に限られず、左右方向、前後方向、斜め方向であってもよい。また、上記実施の形態では、装飾体３１の原点位置は移動範囲の上端である。しかし、移動範囲の下端、または上端および下端以外の位置を、装飾体３１の原点位置としてもよい。
【００４８】
上記実施の形態の演出装置２０は、装飾体３１の移動ガイド部４２の上端、および中枠３８の接触部５３のそれぞれに磁石５４，５５を備えることで、装飾体３１を原点位置で保持する。しかし、移動ガイド部４２および接触部５３のいずれか一方の磁石を鉄等の磁性体に変更しても、本発明は実現できる。移動ガイド部４２自体、または接触部５３自体を磁性体で形成した場合も同様である。また、磁石を設ける位置も変更可能であり、中枠３８と装飾体３１とが接触する位置であればよい。
【００４９】
上記実施の形態では、ラックアンドピニオン機構の離脱を防止するための爪部６０は正面側に向けて突出している。しかし、爪部６０が突出する方向は、第一ラック４７および第二ラック５０の伸張方向に交差する方向であればよい。装飾体３１が終点位置に達した際に爪部６０に当接する部位は、ガイドレール５１に限られない。例えば、爪部６０に当接するための他の部材を、ガイドレール５１以外の中枠３８等に形成してもよい。また、上記実施の形態では、ステップモータ３２の動力が、ギア３３を介して第一ピニオン３５および第二ピニオン３７に伝達される。しかし、ステップモータ３２の動力を伝達するための構造も変更できる。例えば、ステップモータ３２の出力軸に第一ピニオン３５を直接固定してもよい。
【符号の説明】
【００５０】
１    パチンコ機
１０    表示装置
２０，１２０    演出装置
３０    装飾体可動部
３１    装飾体
３２    ステップモータ
３５    第一ピニオン
３６    連結軸
３７    第二ピニオン
３８    中枠
４２    移動ガイド部
４７    第一ラック
５０    第二ラック
５１    ガイドレール
５３    接触部
５４，５５    磁石
５６    引張りバネ
６０    爪部
６１    当接部
６３    原点センサ
６４    終点センサ
６６    第一被検出片
６７    第二被検出片
１２１    上昇補助ラック
【図１】
0005713175.tif 000002
【図２】
0005713175.tif 000003
【図３】
0005713175.tif 000004
【図４】
0005713175.tif 000005
【図５】
0005713175.tif 000006
【図６】
0005713175.tif 000007
【図７】
0005713175.tif 000008
【図８】
0005713175.tif 000009
【図９】
0005713175.tif 000010
【図１０】
0005713175.tif 000011
【図１１】
0005713175.tif 000012